(57)【特許請求の範囲】
【請求項１】
回動してシート搬送路を開放する第１のガイド手段および第２のガイド手段と、前記第１のガイド手段を支持する第１の支持軸と、前記第２のガイド手段を支持する第２の支持軸と、可撓性シート部材からなる圧板と、を備え、前記第１の支持軸を前記第２の支持軸の近傍に設けるとともに、前記第１の支持軸と前記第２の支持軸との間隙を覆うように、前記圧板が前記第１のガイド手段および前記第２のガイド手段に装着されたことを特徴とするシート搬送装置。
【請求項２】
前記第１のガイド手段および前記第２のガイド手段に装着され、前記シート搬送路上に配置された従動ローラと、前記従動ローラと対向配置された駆動ローラと、前記シート搬送路が開放された状態で、前記従動ローラが前記駆動ローラに圧接するように付勢する付勢手段と、を備えたことを特徴とする請求項１に記載のシート搬送装置。
【請求項３】
請求項１又は請求項２に記載のシート搬送装置を設けたことを特徴とする画像形成装置。
【発明の詳細な説明】
【０００１】
【発明の属する技術分野】
本発明は、底部に搬送手段を有するシート搬送装置およびこれを設けた画像形成装置に関するものである。
【０００２】
【従来の技術】
従来、この種のシート搬送装置は、シートを排紙するための排紙台と、プラテンガラス上のシートを押えるためのシート押え部材（プラテンカバー）とで形成される空間領域にスイッチバック搬送路を形成するとともに、前記シート押え部材を前記排紙トレイに対して開閉自在に取り付け、前記スイッチバック搬送路をプラテンガラス側に開放可能とするものであった（特開平11-5659号公報）。ここでは、前記スイッチバック搬送路の開閉部分に、搬送ローラなどの搬送手段を備えていない。
【０００３】
また、この種のシート搬送装置は、シートを排紙するための排紙台上方で、かつ搬送対象のシートを載置するためのシート載置台下方に、スイッチバック搬送路および返送経路を形成し、このスイッチバック搬送路および返送経路を形成する第１および第２のガイド板を回動可能に支持して、前記スイッチバック搬送路および前記返送経路を前記排紙台側に開放可能とするものであった（特開平10-72160号公報）。ここでは、前記スイッチバック搬送路を形成するガイド板側に搬送手段（反転従動ローラ）を備えている。
【０００４】
【発明が解決しようとする課題】
しかし、このような従来のシート搬送装置では、このシート搬送装置底部のプラテンカバー（圧板）上方のスイッチバック搬送路の開閉部分に、搬送手段を備えた場合のジャム解除について配慮がなされていないために、前記圧板上部の搬送路の搬送手段に滞留したシートの除去が容易でないという問題があった。例えば、複写機などの画像形成装置に搭載された自動原稿搬送装置において、底部に原稿の搬送路を持つ場合に、この搬送路でジャム紙を除去するには、自動原稿搬送装置を画像形成装置上で開放し、さらに自動原稿搬送装置の底部の搬送路を構成している部材を開放する必要がある。このような構成では、ジャム紙が画像形成装置上へ落下し、さらに画像形成装置からも落下するおそれがある。特に、画像形成装置の背面側（非操作側）に建物の壁などがある場合に、画像形成装置の背面側へ落下した原稿を回収するのは容易でない。
【０００５】
本発明は、このような問題を解決するためになされたもので、搬送手段を有する圧板上部の搬送路に滞留したシートを容易に除去できるシート搬送装置および画像形成装置を提供するものである。
【０００６】
【課題を解決するための手段】
本発明の請求項１に係るシート搬送装置は、回動してシート搬送路を開放する第１のガイド手段および第２のガイド手段と、前記第１のガイド手段を支持する第１の支持軸と、前記第２のガイド手段を支持する第２の支持軸と、可撓性シート部材からなる圧板と、を備え、前記第１の支持軸を前記第２の支持軸の近傍に設けるとともに、前記第１の支持軸と前記第２の支持軸との間隙を覆うように、前記圧板が前記第１のガイド手段および前記第２のガイド手段に装着された構成を有している。
この構成により、圧板上部のシート搬送路の一部および搬送手段を露出させることができ、前記シート搬送路の一部または前記搬送手段に滞留したシートを容易に除去できることとなる。また、シート搬送装置の底部の第１のガイド手段および第２のガイド手段に装着されている圧板は、底部の搬送路が開放された場合にも、両ガイド手段の回動支点が隣接しているので、底部から剥離することがなく、装着状態を保持できることとなる。
本発明の請求項２に係るシート搬送装置は、前記第１のガイド手段および前記第２のガイド手段に装着され、前記シート搬送路上に配置された従動ローラと、前記従動ローラと対向配置された駆動ローラと、前記シート搬送路が開放された状態で、前記従動ローラが前記駆動ローラに圧接するように付勢する付勢手段と、を備えた構成を有している。
この構成により、シート搬送装置の底面を一部開放した場合に、ジャム紙が搬送手段で保持されるので、ジャム紙が画像形成装置上へ落下することを防止できることとなる。
本発明の請求項３に係る画像形成装置は、請求項１または請求項２に記載のシート搬送装置を設けた構成を有している。
この構成により、装着されたシート搬送装置で搬送手段（例えば、従動ローラ、駆動ローラ）を有する底部に、シートが滞留した場合にジャム紙を容易に除去できる画像形成装置を実現できることとなる。
【０００７】
また、参考として、本発明のシート搬送装置は、複数に分割され、シート搬送装置の一部底面を形成するとともに、前記シート搬送装置の底部搬送路を形成するガイド手段と、複数に分割されたガイド手段のいずれかに取付けられ、前記底部搬送路上に配置された搬送手段と、前記シート搬送装置の一部底面が開口して前記底部搬送路が露出するように、前記複数に分割されたガイド手段のそれぞれを回動可能に支持する支持手段とを設けた構成を有している。
シート搬送装置の底部の搬送路でジャムが発生した場合に、ジャム解除のために搬送路全体が一度に開閉することが望ましい。しかしながら、開閉する底部の搬送路上で原稿搬送に必要な圧力を与える搬送手段などを持つ場合には、底部の搬送路を構成する部材全体の強度(剛性)が必要となる。このために、例えば剛性を有する金属材料の使用が必須となり、樹脂材料で底部搬送路を構成する場合と比較して一般的に機械の重量増加やコストアップを招く。また、底部搬送路の一部だけが開閉する構成では、ジャム紙を完全に除去することが難しい場合がある。そこで、底部搬送路を形成するガイド手段を分割し、かつ分割されたそれぞれを開閉可能とすることにより、樹脂材料で底部搬送路を構成しながら底部搬送路の全てを露出できることとなる。よって、底部搬送路上のジャム紙を確実に除去できることとなる。
【０００８】
また、参考として、前記ガイド手段に、分割された第１のガイド手段と第２のガイド手段とを備え、第１のガイド手段の回動支点と第２のガイド手段の回動支点とが隣接している構成を有している。
この構成により、シート搬送装置の底部を一部開放した場合に、ジャム紙が回動支点の隣接部に掛かって画像形成装置上へ落下しにくくなる。
【００１２】
【発明の実施の形態】
以下、本発明の実施の形態について、図面を用いて説明する。
［第１の実施形態］
図１に示すように、本発明の第１の実施形態に係る画像形成装置は、この画像形成装置の本体２００にシート搬送装置（ここでは、自動原稿搬送装置（以下、ＡＤＦともいう）１００）を搭載したものである。このＡＤＦ１００は、ヒンジなどの連結部材により、本体２００上部に前後方向または左右方向に開閉可能に取り付けられている。また、画像形成装置の本体２００には、スキャナ２０１を含む画像読取部、この画像読取部で読み取り入力された画像などを電子写真方式で記録（印刷）する画像形成部、記録紙を収容する給紙カセットを備え、前記画像形成部に所定サイズの記録紙を供給する給紙部、スキャナ２０１で読み取った画像を出力した記録紙などを排紙する後処理部などを備えている。
【００１３】
なお、スキャナ２０１には、露光ランプ、第１ミラーがプラテンガラス２０４の下方で図中、左右方向に移動して原稿を読み取ることができ（圧板モード）、また、プラテンガラス２０４を介して原稿を読み取る際（自動搬送モード、手差しモード）には、前記露光ランプと前記第１ミラーをプラテンガラス２０４の下方に停止させて読取位置（図中、△印で示す露光位置）で読み取るように構成されている。公知のように、前記露光ランプが照射した光の原稿面からの反射光は、前記第１ミラーやレンズを介してＣＣＤなどの読み取り素子に入光されて結像する。
【００１４】
また、自動原稿搬送装置１００において、原稿テーブル３は搬送対象のシート（ここでは、原稿）を載置する。ピックアップローラ７は、原稿テーブル３に載置された原稿束の最上面から取り出す。給紙ベルト９は、原稿の搬送方向に回転駆動され、リバースローラ１０は、給紙ベルト９に当接しながら原稿の搬送方向と反対方向に回転駆動される。給紙ベルト９とリバースローラ１０とにより、原稿テーブル３から取り出された原稿は１枚ずつ分離されて後段に給送される。前述の原稿テーブル３、ピックアップローラ７、給紙ベルト９およびリバースローラ１０は、原稿給紙部に含まれる。
【００１５】
プルアウトローラ１２は、給紙ベルト９とリバースローラ１０により分離された原稿の先端を突き当ててスキュー補正した後、引き出して後段に搬送する。ターンローラ１４は、プルアウトローラ１２によってスキュー補正された後の原稿を反転させる。前述のプルアウトローラ１２、ターンローラ１４および各種ガイド板４３は、搬送部に含まれる。
【００１６】
読取入口ローラ１６は、搬送されてきた原稿を読取位置の直前まで搬送し、さらに読取りタイミングに合わせてスリットガラス２０２上の読取位置へ搬送する。読取ローラ１９は、読取位置に搬送されてきた原稿を所定の速度で読取搬送する。反射板２０は、読取位置で原稿が浮き上がらないように抑えながら案内するとともに、白基準として利用される。読取出口ローラ２１は、読取出口駆動ローラ２１ａと読取出口従動ローラ２１ｂとからなり、読取り後の原稿をスイッチバック搬送路Ｒ２または排紙トレイ２９に向けて搬送する。原稿スケール２０３は、プラテンガラス２０４上に原稿を固定して読取る場合（圧板モード）の位置決めに用いられる。前述のスキャナ２０１、スリットガラス２０２、原稿スケール２０３、読取入口ローラ１６、読取ローラ１９および読取出口ローラ２１は、読取部に含まれる。なお、スイッチバック搬送路Ｒ１も読取り後の原稿を退避させ、スイッチバックして反転させるための搬送路である。二つのスイッチバック搬送路Ｒ１、Ｒ２を設けることにより、原稿が読取位置を通過する回数を削減して読取り処理の高速化を計るものである。
【００１７】
下反転切換爪２３は、図示しないソレノイドの駆動で読取り後の原稿の搬送方向をスイッチバック搬送路Ｒ２側または排紙トレイ２９側に切換える。また、下反転切換爪２３は、スイッチバック搬送路Ｒ２からスイッチバック搬送されてきた原稿を排紙トレイ２９側に案内する。下反転排紙切換爪２４は、下反転切換爪２３とともに、読取り後の原稿の搬送方向をスイッチバック搬送路Ｒ２側に切換える。また、下反転排紙切換爪２４は、下反転切換爪２３とともに、スイッチバック搬送路Ｒ２からスイッチバック搬送されてきた原稿を排紙トレイ２９側に案内する。補助ローラ２７は、スイッチバック搬送されてきた原稿を反転させる。下反転ローラ２５と下反転従動ローラ２６とは、読取り後の原稿をスイッチバック搬送路Ｒ２内に搬送して原稿の一端を保持し、さらに一端が保持されたスイッチバック搬送路Ｒ２内の原稿をスイッチバック搬送する。排紙ローラ２８は、読取り後の原稿を排紙トレイ２９へ排紙する。下反転ガイド板４１は、一端側をフレーム（筐体）に回動可能に支持され、読取り後の原稿をスイッチバック搬送路Ｒ２側に案内する。前述の下反転切換爪２３、下反転排紙切換爪２４、補助ローラ２７、下反転ローラ２５、下反転従動ローラ２６、排紙ローラ２８および下反転ガイド板４１は、排紙部に含まれる。なお、排紙トレイ２９は、搬送されてきた読取り後の原稿を頁順にスタックするものであり、スタック部に含まれる。
【００１８】
また、自動原稿搬送装置１００には、スタートボタンやテンキーなどの各種ボタンキー、ＬＣＤ表示器などからなる操作部を有し、この操作部の操作で、ファクシミリ／コピー機能における動作モードの設定／表示や動作開始／停止指示がユーザにより可能なように構成されている。
【００１９】
ここで、図２および図３に自動原稿搬送装置１００底部（下反転ガイド板４１を含む）の構成および搬送路を示す。この搬送路は、図１に示すスイッチバック搬送路Ｒ２に通じる搬送路を形成している。
【００２０】
自動原稿搬送装置１００の底部には、下反転ガイド板４１が形成され、この下反転ガイド板４１には、読取出口従動ローラ２１ｂ、下反転従動ローラ２６、下反転切換爪２３、下反転排紙切換爪２４などが組み付けられている。また、下反転従動ローラ２６の軸はアーム５１に支持され、このアーム５１の一端側は、下反転ガイド板４１に設けられた圧縮スプリング５２によって上方に付勢されている。したがって、下反転従動ローラ２６は、アーム５１に押し上げられて下反転駆動ローラ２５に圧接されることになる。
【００２１】
また、下反転ガイド板４１には、回動支点穴５３および回動支点軸５４が設けられており、回動支点穴５３は、自動原稿搬送装置１００の本体フレームなどの部材を介してネジなどで支持され、回動支点軸５４は、自動原稿搬送装置１００の本体フレームなどの部材に設けられた穴へ挿入されている。したがって、下反転ガイド板４１は自動原稿搬送装置１００の下方に向かって開放可能であり、開放状態ではスイッチバック搬送路Ｒ２の一部が開放されることとなる。また、回動支点穴５３と回動支点軸５４の中心軸は、下反転従動ローラ２６の回転軸とほぼ同一線上にある。したがって、下反転ガイド板４１が開放された場合に、下反転従動ローラ２６と下反転駆動ローラ２５とは圧接状態を保つことになる。なお、圧板５８は弾性を有する可塑性樹脂材料からなり、底部ガイド板５５および下反転ガイド板４１のプラテンガラス２０４との接触面に渡って設けられ、下反転ガイド板４１の開放によって撓むように形成されている。
【００２２】
この構成により、自動原稿搬送装置１００の底部でジャムが発生し、下反転ガイド板４１が開放された場合、図４に示すように、ジャム紙Ｓ1は下反転駆動ローラ２５と下反転従動ローラ２６とにより保持されることになる。ここでは、下反転ガイド板４１の一端側（図中、左側）が開口し、読取出口従動ローラ２１ｂ、下反転従動ローラ２６、下反転切換爪２３、下反転排紙切換爪２４、補助ローラ２７などが露出している。
【００２３】
以上のように、本発明の第１の実施形態に係る自動原稿搬送装置１００は、この自動原稿搬送装置１００の一部底面を形成するとともに、シート搬送装置１００の底部搬送路（スイッチバック搬送路Ｒ２に通じる搬送路を含む）を形成する下反転ガイド板４１と、この下反転ガイド板４１に取付けられ、前記底部搬送路上に配置された読取出口ローラ２１ｂ、下反転従動ローラ２６および下反転排紙切換爪２４と、シート搬送装置１００の一部底面が開口するように、下反転ガイド板４１を回動させるための回動支点穴５３および回動支点軸５４とを設けているので、画像形成装置の本体２００に装着された自動原稿搬送装置１００を開放し、さらに搬送手段が取付けられた下反転ガイド板４１を回動させて、前記底部搬送路上のジャム原稿を容易かつ確実に除去することができる。
【００２４】
また、本発明の第１の実施形態に係る自動原稿搬送装置１００は、さらに自動原稿搬送装置１００の一部底面が開口された状態で、下反転従動ローラ２６がこの下反転従動ローラ２６と対向配置された下反転駆動ローラ２５に圧接するように、下反転従動ローラ２６を付勢するためのアーム５１および圧縮スプリング５２を設けているので、下反転ガイド板４１を開放してジャム紙を除去する場合に、このジャム紙が画像形成装置の本体２００上へ落下することや、さらに本体２００から落下することを回避できる。
【００２５】
また、本発明の第１の実施形態に係る画像形成装置は、本体２００上に前述の自動原稿搬送装置１００を搭載しているので、装着された自動原稿搬送装置１００の底部に搬送手段を有する場合に、原稿Ｓ1の落下を回避しながら、搬送手段を有する底部搬送路のジャム原稿を容易に除去できる。
【００２６】
［第２の実施形態］
図５は、本発明の第２の実施形態に係る画像形成装置を示す。この画像形成装置は、開放可能な底部ガイド板５５を除き、第１の実施形態と概ね同様の構成を有するため、同一構成には同一符号を付与して説明を省略する。
【００２７】
本実施形態の自動原稿搬送装置１００は、底部ガイド板５５の一端部（ここでは、図中右側）に、図５、図６に示す回動支点穴５６および図６に示す回動支点軸５７が設けられている。すなわち、底部ガイド板５５の回動支点穴５６および回動支点軸５７は、下反転ガイド板４１の回動支点穴５３および回動支点軸５４から離間して設けられている。また、回動支点穴５６は、自動原稿搬送装置１００の本体フレームなどの部材を介してネジなどで支持され、回動支点軸５７は、自動原稿搬送装置１００の本体フレームなどの部材に設けられた穴へ挿入されている。したがって、底部ガイド板５５は自動原稿搬送装置１００の下方に向かって開放可能であり、開放状態ではスイッチバック搬送路Ｒ２の一部が開放されることとなる。また、圧板５８は弾性を有する可塑性樹脂材料からなり、底部ガイド板５５と下反転ガイド板４１のプラテンガラス２０４との接触面に渡って設けられ、底部ガイド板５５側に接着されている。
【００２８】
この構成により、自動原稿搬送装置１００の底部でジャムが発生し、下反転ガイド板４１が開放された場合、前述のようにジャム紙Ｓ1は下反転駆動ローラ２５と下反転従動ローラ２６とにより保持されている（図７に示す）。ここでは、下反転ガイド板４１の一端側（図中、左側）と底部ガイド板５５の一端側（図中、右側）とが開口し、読取出口従動ローラ２１ｂ、下反転従動ローラ２６、下反転切換爪２３、下反転排紙切換爪２４、補助ローラ２７などとスイッチバック搬送路Ｒ２とが露出している。また、圧板５８は、下反転ガイド板４１と接着されていないので、下反転ガイド板４１および底部ガイド板５５の開放により下反転ガイド板４１から離間することになる。
【００２９】
以上のように、本発明の第２の実施形態に係る自動原稿搬送装置１００は、複数に分割され、自動原稿搬送装置１００の一部底面を形成するとともに、自動原稿搬送装置１００の底部搬送路（スイッチバック搬送路Ｒ２、スイッチバック搬送路Ｒ２に通じる搬送路を含む）を形成する下反転ガイド板４１および底部ガイド板５５と、複数に分割された下反転ガイド板４１および底部ガイド板５５のいずれかに取付けられ、前記底部搬送路上に配置された読取出口従動ローラ２１ｂ、下反転従動ローラ２６および下反転排紙切換爪２４と、自動原稿搬送装置１００の一部底面が開口して前記底部搬送路が露出するように、複数に分割された下反転ガイド板４１および底部ガイド板５５のそれぞれを回動可能に支持する回動支点穴５３、５６および回動支点軸５４、５７とを設けているので、開閉する底部搬送路が原稿搬送に必要な圧力を与えるための搬送手段などを持つ場合に、機械の重量増加やコストアップを抑えることができる。また、前記底部搬送路を全面に渡って開閉することが可能であるために、ジャム原稿の除去作業が容易である。
【００３０】
また、本発明の第２の実施形態に係る自動原稿搬送装置１００は、さらに自動原稿搬送装置１００の一部底面が開口された状態で、下反転従動ローラ２６がこの下反転従動ローラ２６と対向配置された下反転駆動ローラ２５に圧接するように、下反転従動ローラ２６を付勢するためのアーム５１および圧縮スプリング５２を設けているので、下反転ガイド板４１を開放してジャム紙を除去する場合に、このジャム紙が画像形成装置の本体２００上へ落下することや、さらに本体２００から落下することを回避できる。
【００３１】
また、本発明の第２の実施形態に係る画像形成装置は、本体２００上に前述の自動原稿搬送装置１００を搭載しているので、装着された自動原稿搬送装置１００の底部に搬送手段を有する場合に、原稿Ｓ1の落下を回避しながら、搬送手段を有する底部搬送路の全てを開放してジャム原稿を容易に除去できる。
【００３２】
［第３の実施形態］
図８は、本発明の第３の実施形態に係る画像形成装置を示す。この画像形成装置は、開放可能な底部ガイド板５５を除き、第１の実施形態と概ね同様の構成を有するため、同一構成には同一符号を付与して説明を省略する。
【００３３】
本実施形態の自動原稿搬送装置１００は、底部ガイド板５５の一端部（ここでは、図中の中央側）に、図８、図９に示す回動支点穴５６ａおよび図９に示す回動支点軸５７ａが設けられている。すなわち、底部ガイド板５５の回動支点穴５６ａと回動支点軸５７ａとは、下反転ガイド板４１の回動支点穴５３と回動支点軸５４の近傍に設けられている。また、回動支点穴５６ａは、自動原稿搬送装置１００の本体フレームなどの部材を介してネジなどで支持され、回動支点軸５７ａは、自動原稿搬送装置１００の本体フレームなどの部材に設けられた穴へ挿入されている。したがって、底部ガイド板５５は自動原稿搬送装置１００の下方（プラテンガラス２０４側）に向かって開放可能であり、開放状態では図中右側の底部が開口し、スイッチバック搬送路Ｒ２が露出することとなる。また、圧板５８は弾性を有する可塑性樹脂材料からなり、底部ガイド板５５および下反転ガイド板４１のプラテンガラス２０４との接触面に渡って設けられ、下反転ガイド板４１の開放によって撓むように形成されている。
【００３４】
この構成により、自動原稿搬送装置１００の底部でジャムが発生し、下反転ガイド板４１と底部ガイド板５５が開放された場合に、前述のようにジャム紙Ｓ１は下反転駆動ローラ２５と下反転従動ローラ２６とにより保持されている（図１０に示す）。ここでは、下反転ガイド板４１の一端側（図中、左側）と底部ガイド板５５の一端側（図中、右側）とが開口し、読取出口従動ローラ２１ｂ、下反転従動ローラ２６、下反転切換爪２３、下反転排紙切換爪２４、補助ローラ２７などとスイッチバック搬送路Ｒ２とが露出している。
【００３５】
以上のように、本発明の第３の実施形態に係る自動原稿搬送装置１００は、さらに下反転ガイド板４１の回動支点穴５３および回動支点軸５４と、底部ガイド板５５の回動支点穴５６ａおよび回動支点軸５７ａとが隣接しているので、スイッチバック搬送路Ｒ２およびスイッチバック搬送路Ｒ２に通じる底部搬送路を全面に渡って開閉することができ、ジャム原稿の除去作業が容易である。
【００３６】
また、本発明の第３の実施形態に係る自動原稿搬送装置１００は、さらに自動原稿搬送装置１００の一部底面が開口された状態で、下反転従動ローラ２６がこの下反転従動ローラ２６と対向配置された下反転駆動ローラ２５に圧接するように、下反転従動ローラ２６を付勢するためのアーム５１および圧縮スプリング５２を設けているので、下反転ガイド板４１を開放してジャム紙を除去する場合に、このジャム紙が画像形成装置の本体２００上へ落下することや、さらに本体２００から落下することを回避できる。
【００３７】
また、本発明の第３の実施形態に係る自動原稿搬送装置１００は、さらに自動原稿搬送装置１００の底面に、下反転ガイド板４１と底部ガイド板５５とにわたってシート状の圧板５８を設けているので、圧板５８が、ジャム時にスイッチバック搬送路Ｒ２およびスイッチバック搬送路Ｒ２に通じる搬送路を開放する場合にも撓んだ状態で底部に装着されている。よって、ジャム発生時に、底部を構成している下反転ガイド板４１および底部ガイド板５５を開放する度に圧板５８が外れることがなくなり、圧板５８を再装着する必要がないために、作業の煩わしさが軽減される。
【００３８】
また、本発明の第３の実施形態に係る画像形成装置は、本体２００上に前述の自動原稿搬送装置１００を搭載しているので、装着された自動原稿搬送装置１００の底部に搬送手段を有する場合に、原稿Ｓ1の落下を回避しながら、搬送手段を有する底部搬送路の全てを開放してジャム原稿を容易に除去できる。
【００３９】
なお、前述の実施形態では、下反転切換爪２３、読取出口従動ローラ２１ｂ、下反転排紙切換爪２４、下反転従動ローラ２６などが前記搬送手段に含まれ、下反転従動ローラ２６などが前記従動ローラに含まれ、下反転駆動ローラ２５などが前記駆動ローラに含まれ、下反転ガイド板４１、底部ガイド板５５などが前記ガイド手段、前記第１のガイド手段、前記第２のガイド手段のいずれかに含まれ、アーム５１、圧縮スプリング５２などが前記付勢手段に含まれ、回動支点穴５３、５６、５６ａ、回動支点軸５４、５７、５７ａなどが前記支持手段、前記第１の支持軸、前記第２の支持軸のいずれかに含まれ、圧板５８、５８ａなどが前記可撓性シート部材からなる圧板に含まれる。
【００４０】
【発明の効果】
以上説明したように、本発明はシート搬送装置のシート搬送路（底部搬送路を含む）を形成し、搬送手段（従動ローラ（例えば、読取出口従動ローラ２１ｂ、下反転従動ローラ２６）を含む）が取付けられたガイド手段（第１のガイド手段（例えば、下反転ガイド板４１）、第２のガイド手段（例えば、底部ガイド板５５）を含む）を回動させて前記シート搬送路を開放することにより、前記搬送手段を有する圧板上部の前記シート搬送路に滞留したシートを容易に除去できるという優れた効果を有するシート搬送装置および画像形成装置を提供することができるものである。
【図面の簡単な説明】
【図１】本発明の第１の実施形態に係る画像形成装置の断面図である。
【図２】本発明の第１の実施形態に係る画像形成装置の要部断面図である。
【図３】本発明の第１の実施形態に係る下反転ガイド板の斜視図である。
【図４】本発明の第１の実施形態に係る画像形成装置（下反転ガイド板が開放された状態を示す）の断面図である。
【図５】本発明の第２の実施形態に係る画像形成装置の断面図である。
【図６】本発明の第２の実施形態に係る底部ガイド板の斜視図である。
【図７】本発明の第２の実施形態に係る画像形成装置（下反転ガイド板および底部ガイド板が開放された状態を示す）の断面図である。
【図８】本発明の第３の実施形態に係る画像形成装置の断面図である。
【図９】本発明の第３の実施形態に係る底部ガイド板の斜視図である。
【図１０】本発明の第３の実施形態に係る画像形成装置（下反転ガイド板および底部ガイド板が開放された状態を示す）の断面図である。
【符号の説明】
２１  読取出口ローラ
２１ａ  読取出口駆動ローラ
２１ｂ  読取出口従動ローラ
２３  下反転切換爪
２４  下反転排紙切換爪
２５  下反転駆動ローラ
２６  下反転従動ローラ
２７  補助ローラ
４１  下反転ガイド板
５１  アーム
５２  圧縮スプリング
５５  底部ガイド板
５３、５６、５６ａ  回動支点穴
５４、５７、５７ａ  回動支点軸
５８、５８ａ  圧板
１００  自動原稿搬送装置（シート搬送装置）
２００  画像形成装置
【図１】
0003949474.tif 000002
【図２】
0003949474.tif 000003
【図３】
0003949474.tif 000004
【図４】
0003949474.tif 000005
【図５】
0003949474.tif 000006
【図６】
0003949474.tif 000007
【図７】
0003949474.tif 000008
【図８】
0003949474.tif 000009
【図９】
0003949474.tif 000010
【図１０】
0003949474.tif 000011